(57)【要約】      （修正有）【課題】施設テーブルの裏面に扇風機を直接取り付け又は、装置を固定棒やぐらに取り付けてからテーブルの裏面に取り付ける扇風機を提供する。【解決手段】テーブル固定棒やぐら７に本体１を固定ネジ１１で取り付け、支え金具１３のテーブル止め穴１３ｂに木ネジを通してテーブル側面内側に取り付け四箇所を固定する。テーブル裏面と本体のすき間間に、８センチの上部止め１４部分で確保され、テーブルの側面が無い場合は、直接本体１上部止め１４に穴があいているのを利用して木ネジで固定して使用する。本体１とモーターとファン３と、ファンガード２と、イオン発生器１２と、フィルター６によって形成され、モーターの運転指示する操作部８と切替器９を備えたテーブル下面式イオン扇風機においてファン３後方にマイナスイオン発生器１２及びイオン放出針１２ａを配設して、マイナスイオンを効率的に四方に放出させる。【選択図】図４
0003142844.tif 000002
【実用新案登録請求の範囲】
【請求項１】
本案は冷気が空気中の下部に溜まる点に着目し、扇風機をテーブルの裏面に設置するテーブル下面扇風機。
【考案の詳細な説明】
【技術分野】
【０００１】  本考案は、扇風機に係わり、扇風機をテーブルの裏面に設置し、マイナスイオン発生器とフィルターを装備し、テーブルを囲む複数の利用者に涼しさを効果的に送ることを目的とする。
【背景技術】
【０００２】  従来、扇風機はリビング扇風機が主流でしたが、テーブル裏面設置でマイナスイオン発生器とフィルター付は無かった。
【考案の開示】
【考案が解決しようとする課題】
【０００３】  テーブルを囲む複数の方々が扇風機を駆動した場合には満遍なく扇風機の風が一人ひとりいき渡らず涼しさの効率が悪く、扇風機の首振り機能を利用しても常時風がいきわたらず、無人エリアに無駄な送風することがあった事を課題とする。
【課題を解決するための手段】
【０００４】  扇風機をテーブルの裏面に設置し、テーブルの裏面から風を送ることにより、その風が床や、たたみにあたり拡散された風がテーブルを囲む複数の利用者の足元や、膝などに満遍なくいきわたらせる事が出来、涼風により体が早急に冷やすことが出来る効果がある。【０００５】  扇風機を収納する本体とモーターとファン、ファンガードと、イオン発生器と、フィルターによって形成され、扇風機モーター回転速度を強と弱を指示する操作部と切替器を設けたものである、ファン後方にマイナスイオン発生器及びイオン放出針を配設して、マイナスイオンを効率的に下面方向に放出し効果を発揮する。
【考案の効果】
【０００６】  着脱式で既存テーブルの活用可能、テーブル固定型ではなく着脱が可能なためテーブルの型式を選ばず、家庭や職場、飲食店などの既存のテーブルに簡単に取り付けられる、一体型と比べて低コストでの提供を可能とし、また部屋間移動が可能な従来型のリビング扇風機などのメリットも損なわずに利用できる。【０００７】  煙草の灰や塵が飛ばず快適性が高い、テーブルの下部へ送風するため、従来型扇風機に見られるテーブル上の灰皿の灰、新聞、空気中の塵などが送風で吹き飛んでしまう不便さを解消し、快適に喫煙や読書を楽しむことができる、下記の［００１０］の空気清浄フィルター装着により塵の拡散も防ぐことができる。【０００８】  冷房効率を向上、単独利用でも十分な快適性を保つことができるが、エアコンとの併用でより効率を発揮できる、エアコンの温度設定を通常より高めに設定しても、効率よく冷房できるため、喫緊の課題となっている地球温暖化防止対策にも有効と考えられる。【０００９】  省スペースで場所をとらない、テーブル裏面のいわゆるデッドスペースを活用するため、従来型リビング扇風機などと比較して省スペース化を実現できる。【００１０】  手入れが簡単である、空気の取り込み口に着脱式空気清浄フィルターを装備することで、塵やごみの吸収が可能となる、これにより扇風機のモーター、ファン、ファンガードへの汚れの付着を低減できる、フィルター自体も着脱式のため、洗浄も容易に手入れが簡単である。【００１１】  マイナスイオンによるリラックス効果が高い、マイナスイオン発生器機能付加により、空気清浄およびリラックス効果が期待できる、煙草などの脱臭効果にも優れ、利用者に爽快感をもたらすことができる。
【考案を実施するための最良の形態】
【００１２】  扇風機モーターを固定するに当たり、非通気性部分を金属性のカバーで覆い、カバーにはモーター支柱を取り付け、モーター支柱にはモーターとイオン発生器も同様に設置し、空気の取り込み口および排出口にわけ、テーブル裏面から８センチのすき間を作り空気の取り込み口を設け空気の取り込み口には着脱式空気清浄フィルターを装備、風排出口にはファンガードを設けた。
【実施例】
【００１３】  本考案の実施例を図１、図２、図３、図４及び図５に基づき、その構成を説明する、
図１は固定棒やぐら７を使用して取り付けた場合のテーブルの断面図でテーブル側板内側１９に固定棒やぐら７と支え金具１３を利用して取り付けた状態を示す図面です。【００１４】  図２は本体１をテーブル裏面１８に取り付けた場合のテーブルの断面図で直接本体１の上部止め穴１４ａを利用して取り付けた状態を示す図面です。【００１５】  図３においては固定棒やぐら７と本体１を取り付けるには固定ネジ１１を利用して本体１のネジ穴を利用し、４箇所固定します、取り付け位置はテーブル裏面１８に取り付ける、テーブルサイズに応じて固定棒やぐら７と支え金具１３で長さを調整しながら支え金具穴１３ａを利用して木ネジでやぐら７と固定します、同様な事を４箇所行う、支え金具１３とテーブル側面内側１９に取り付けるには支え金具１３のテーブル止め穴１３ｂの穴を利用して木ネジで四箇所を固定します。デスクタイプにも同様なことができる。【００１６】  図３、図５において空気の流れの説明、扇風機が駆動した場合にファン３が回りテーブル裏面１８と本体１のすき間１７、空気取り込み口１５から空気を四方面から取り入れるために上部止め１４で高さ８センチを確保いたしております、フィルター６の交換はフィルター取り出し方向６ａは図３の左右方向に取り出しが可能です。【００１７】  図４においては扇風機が駆動した場合に空気取り込み口１５から空気が入りフィルター６を通か後イオン発生器１２のイオン放出針１２ａからイオンを放出し、放出したイオンをファン３が回って風とともに風排出口１６からファンガード２を通って排出されます。
【図面の簡単な説明】
【００１８】
【図１】本考案の実施例１固定棒やぐらを使用して取付けた断面図１
【図２】本考案の実施例２のテーブル裏側に取付けた断面図２
【図３】扇風機で一部カット図を画いた正面図。
【図４】扇風機で一部カット図を画いた上面図。
【図５】扇風機の操作部分と電源コードを画いた右側面図
【符号の説明】
【００１９】１：本体                  ２：ファンガード          ３：扇風機ファン
４：モーター              ５：モーター支柱          ６：フィルター
７：固定棒やぐら          ８：操作切り替えツマミ    ９：切替器
１０：電源コード        １１：固定ネジ            １２：マイナスイオン発生器
１２ａ：イオン放出針      １３：支え金具            １３ａ：支え金具穴
１３ｂ：テーブル止め穴    １４：上部止め                １４ａ：上部止め穴
１５：空気取り込み口      １６：風排出口            １７：すき間
１８：テーブル裏面      １９：テーブル側板内側    ２０：テーブル
【図１】
0003142844.tif 000003
【図２】
0003142844.tif 000004
【図３】
0003142844.tif 000005
【図４】
0003142844.tif 000006
【図５】
0003142844.tif 000007
【手続補正書】
【提出日】平成20年3月25日(2008.3.25)
【手続補正１】
【補正対象書類名】実用新案登録請求の範囲
【補正対象項目名】全文
【補正方法】変更
【補正の内容】
【実用新案登録請求の範囲】
【請求項１】
足つきテーブルの裏面に取り付けられるテーブル下面扇風機の構造であって、テーブル裏面への取り付け側となる上部に空気取り込み口を形成し、下部に風排出口を形成して函形状の本体を形成し、当核本体上部とテーブル裏面との間に所定のすき間を維持し、かつ、その先端部にテーブル裏面に固定する上部止め穴を有する複数個の上部止めを函形状の本体上部端から延出形成し、本体とテーブルとを着脱自在に形成したことを特徴とするテーブル下面扇風機。
【手続補正２】
【補正対象書類名】明細書
【補正対象項目名】０００４
【補正方法】変更
【補正の内容】
【０００４】本考案は、冷気が空気中の下部に溜まる点に着目し、扇風機をテーブルの裏面に設置する手段として、足つきテーブルの裏面に取り付けられるテーブル下面扇風機の構造であって、テーブル裏面への取り付け側となる上部に空気取り込み口を形成し、下部に風排出口を形成して函形状の本体を形成し、当核本体上部とテーブル裏面との間に所定のすき間を維持し、かつ、その先端部にテーブル裏面に固定する上部止め穴を有する複数個の上部止めを函形状の本体上部端から延出形成し、本体とテーブルとを着脱自在に形成したものである。そのために扇風機をテーブルの裏面に設置してテーブルの裏面から風を送ることができ、その風が床やたたみにあたり拡散された風がテーブルを囲む複数の利用者の足元や、膝などに満遍なくいきわたらせることができ、涼風により体を急速に冷やすことができる。